(57)【要約】      （修正有）【課題】薬を収容させた薬収容体に貼付させる薬表示用ラベルにおいて、薬の服用又は使用時期等を簡単に感知できるようにして、薬の服用又は使用ミスを適切に防止できるようにする。【解決手段】薬２１を収容させた薬収容体２０に貼付させる薬表示用ラベル１０Ａにおいて、ラベル基材１１に、薬２１の服用又は使用時期を示すピクトグラム表示部１２と、文字表示部１３とを設けた。【選択図】図３
0003139099.tif 000002
【実用新案登録請求の範囲】
【請求項１】
薬を収容させた薬収容体に貼付させる薬表示用ラベルにおいて、ラベル基材に、薬の服用又は使用時期を示すピクトグラム表示部と、文字表示部とが設けられていることを特徴とする薬表示用ラベル。
【請求項２】
請求項１に記載した薬表示用ラベルにおいて、上記の文字表示部に、食前・食後の指定及び／又は用量を書き込む書き込み部が設けられていることを特徴とする薬表示用ラベル。
【請求項３】
請求項１又は請求項２に記載した薬表示用ラベルにおいて、薬の服用又は使用時期に応じて、ピクトグラム表示部の色彩を変更させたことを特徴とする薬表示用ラベル。
【請求項４】
請求項１〜請求項３の何れか１項に記載した薬表示用ラベルにおいて、薬を収容させた薬収容体に貼付させる貼付部を、上記のラベル基材から突出するように設けたことを特徴とする薬表示用ラベル。
【考案の詳細な説明】
【技術分野】
【０００１】
この考案は、薬を収容させた薬収容体に貼付させる薬表示用ラベルに係り、薬の服用又は使用時期等を簡単に感知できるようにして、薬の服用又は使用ミスを適切に防止できるようにした点に特徴を有するものである。
【背景技術】
【０００２】
従来より、患者に対して適切な治療を行うために、様々な種類の薬が処方されており、患者は処方された薬の種類に応じて、適切な薬を適切に服用又は使用することが必要になる。
【０００３】
しかし、薬の種類によって、服用又は使用時期や用量が異なることが多く、例えば、服用又は使用時期については、朝，昼，夕の何れかの食前又は食後、朝と夕のそれぞれの食前又は食後、朝，昼，夕のそれぞれの食前又は食後、就寝前、朝，昼，夕，夜の１日４回等、薬の種類に応じて異なっており、また用量も１回1錠や２錠等、それぞれ薬の種類に応じて異なっており、数種類の薬が処方された場合、患者が各種の薬を適切に服用又は使用することは非常に困難で、服用又は使用時期や、用量を誤るおそれがあった。
【０００４】
このため、近年においては、薬を収容させた薬袋に、薬の表示と合わせて、服用又は使用時期や用量を表示することが行われている。
【０００５】
しかし、薬袋には一般に数種類の薬が収容されており、薬袋に収容された各種の薬の中から、薬袋に表示された薬と照合させて、それぞれの薬を適切に服用又は使用することは依然として困難であった。
【０００６】
また、近年においては、特許文献１に示されるように、薬袋に貼付させるラベルに切れ目を設けて、剥離できる複数のセグメントを形成し、各セグメントに薬の服用時期を表示し、薬の飲み忘れを防止するようにした薬の飲み忘れ防止ラベルが提案されている。
【０００７】
しかし、このような薬の飲み忘れ防止ラベルを薬袋に貼付させた場合においても、上記のように服用又は使用時期や用量が異なる数種類の薬を薬袋に収容させた場合において、薬袋に収容された各種の薬の中から、それぞれの薬を適切に服用又は使用することは困難であった。
【特許文献１】実用新案登録第３０７４６９５号公報
【考案の開示】
【考案が解決しようとする課題】
【０００８】
この考案は、薬を服用又は使用する場合における上記のような問題を解決することを課題とするものであり、薬を収容させた薬収容体に貼付させるようにした薬表示用ラベルにおいて、薬の服用又は使用時期を簡単に感知できるようにして、薬の服用又は使用ミスを適切に防止できるようにすることを課題とするものである。
【課題を解決するための手段】
【０００９】
この考案においては、上記のような課題を解決するため、薬を収容させた薬収容体に貼付させる薬表示用ラベルにおいて、ラベル基材に、薬の服用又は使用時期を示すピクトグラム表示部と、文字表示部とを設けるようにした。
【００１０】
ここで、上記の薬表示用ラベルにおいては、上記の文字表示部に、食前・食後の指定及び／又は用量を書き込む書き込み部を設けるようにしたり、また薬の服用時期に応じて、ピクトグラム表示部の色彩を変更させるようにすることができる。
【００１１】
また、薬を収容させた薬収容体に上記の薬表示用ラベルを貼付させるにあたっては、この薬表示用ラベル全体を薬収容体に貼付させるようにする他、貼付できる部分が狭い薬収容体に対しては、ラベル基材から突出するようにして貼付部を設け、この貼付部を薬収容体に貼付させるようにすることができる。
【考案の効果】
【００１２】
この考案においては、ラベル基材に、薬の服用又は使用時期を示すピクトグラム表示部と、文字表示部とを設けた薬表示用ラベルを、薬を収容させた薬収容体に貼付させるようにしたため、ラベル基材におけるピクトグラム表示部と文字表示部とにおける表示内容に基づいて、薬の服用又は使用時期等を簡単に感知することができるようになる。
【００１３】
そして、上記の文字表示部に、食前・食後の指定及び／又は用量を書き込む書き込み部を設けるようにすると、薬の種類に応じて服用又は使用時期や用量を書き込むことができ、書き込む内容を変更させるだけで、１つの薬表示用ラベルを異なった種類の薬を収容させた別の薬収容体に利用することもできるようになる。
【００１４】
また、薬の服用時期に応じて上記のピクトグラム表示部の色彩を変更させると、このピクトグラム表示部における色彩から薬の服用又は使用時期等をより簡単に感知できるようになる。なお、ピクトグラム表示部の色彩を変更させるにあたっては、色覚障害者にも識別しやすい色を用いることが望ましい。
【００１５】
そして、上記のような薬表示用ラベルをそれぞれ異なった種類の薬が収容された各薬収容体に貼付させると、服用又は使用時期や用量等が異なった薬が収容された各薬収容体を薬袋に一緒にまとめて収容させた場合においても、各薬収容体に貼付された薬表示用ラベルに基づいて、各薬収容体に収容された薬の服用又は使用時期や用量等を簡単に感知することができ、薬の服用又は使用ミスを適切に防止できるようになる。
【００１６】
また、上記のラベル基材から突出するように貼付部を設け、この貼付部を薬収容体に貼付させる薬を収容させた薬収容体に貼付させるようにすると、貼付できる部分が狭い薬収容体に対しても、上記の薬表示用ラベルを適切に貼付できるようになる。
【考案を実施するための最良の形態】
【００１７】
以下、この考案の実施形態に係る薬表示用ラベルを添付図面に基づいて具体的に説明する。なお、この考案に係る薬表示用ラベルは、下記の実施形態に示したものに限定されるものではなく、その要旨を変更しない範囲において適宜変更して実施できるものである。
【００１８】
図１に示す薬表示用ラベル１０Ａにおいては、地が赤色のラベル基材１１に、スプーンとフォークとカップの図柄を表示したピクトグラム表示部１２を設けると共に、上記のカップの図柄内に「朝」という文字と、ピクトグラム表示部１２の下に「前・後    ヶ」の文字を表示した文字表示部１３を設けている。なお、この薬表示用ラベル１０Ａにおいては、カップの図柄内における「朝」の文字をラベル基材１１と同じ赤色にしているが、「朝」の文字の色彩を、必ずしもラベル基材１１の色彩に一致させる必要はない。
【００１９】
また、この薬表示用ラベル１０Ａにおいては、上記のラベル基材１１の下辺の中央部から下方に突出した貼付部１４を設け、図２に示すように、この貼付部１４の裏面側に粘着剤層１４ａを設けている。
【００２０】
そして、この薬表示用ラベル１０Ａにおいては、上記の文字表示部１３における「前・後」の部分の前又は後の何れかに丸をつけて、朝食の食前か食後の何れに服用するかを示すと共に、「ヶ」の前の空白部分に服用する薬の数を記載するようにしている。
【００２１】
例えば、朝食前に２錠服用する薬２１を所要数収容させたシート状の薬収容体２０に、上記の薬表示用ラベル１０Ａを貼付させるにあたっては、図３に示すように、上記の文字表示部１３における「前」部分に丸をつけると共に、「ヶ」の前の空白部分に「２」の文字を記載する。そして、この薬表示用ラベル１０Ａにおける上記の貼付部１４の裏面側に設けられた粘着剤層１４ａにより、この薬表示用ラベル１０Ａを上記の薬収容体２０において薬２１が収容されていない余剰部分の表面側に貼付させるようにする。
【００２２】
このようにすると、薬収容体２０に取り付けられた上記の薬表示用ラベル１０Ａにおけるピクトグラム表示部１２の表示と、文字表示部１３における表示とから、薬２１の服用時期及び用量を簡単に感知できるようになる。
【００２３】
なお、上記の薬表示用ラベル１０Ａにおいては、貼付部１４の裏面側に粘着剤層１４ａを設けるようにしたが、貼付部１４の表面側に粘着剤層１４ａを設け、この薬表示用ラベル１０Ａを上記の薬収容体２０において薬２１が収容されていない余剰部分の裏面側に貼付させるようにすることも可能である。
【００２４】
また、図４に示す薬表示用ラベル１０Ｂにおいては、地が橙色のラベル基材１１に、スプーンとフォークとカップの図柄を表示したピクトグラム表示部１２を設けると共に、上記のカップの図柄内に「昼」という文字と、ピクトグラム表示部１２の下に「前・後    ヶ」の文字を表示した文字表示部１３を設けている。そして、この薬表示用ラベル１０Ｂにおいても、上記の薬表示用ラベル１０Ａと同様に、上記のラベル基材１１の下辺の中央部から下方に突出した貼付部１４を設け、この貼付部１４の裏面側に粘着剤層１４ａを設けている。なお、この薬表示用ラベル１０Ｂにおいては、カップの図柄内における「昼」という文字を目立たせるために、「昼」の文字を橙色のラベル基材１１の色彩と異なった色で表示するようにしている。
【００２５】
また、図５に示す薬表示用ラベル１０Ｃにおいては、地が青色のラベル基材１１に、スプーンとフォークとカップの図柄を表示したピクトグラム表示部１２を設けると共に、上記のカップの図柄内に「夕」という文字と、ピクトグラム表示部１２の下に「前・後    ヶ」の文字を表示した文字表示部１３を設けている。そして、この薬表示用ラベル１０Ｃにおいても、上記の薬表示用ラベル１０Ａと同様に、上記のラベル基材１１の下辺の中央部から下方に突出した貼付部１４を設け、この貼付部１４の裏面側に粘着剤層１４ａを設けている。なお、この薬表示用ラベル１０Ｂにおいては、カップの図柄内における「夕」という文字をラベル基材１１と同じ青色にしている。
【００２６】
また、図６に示す薬表示用ラベル１０Ｄにおいては、地が濃紺色のラベル基材１１に、星と月とカップの図柄を表示したピクトグラム表示部１２を設けると共に、上記のカップの図柄内に「就寝前」という文字と、ピクトグラム表示部１２の下に「就寝前    ヶ」の文字を表示した文字表示部１３を設けている。そして、この薬表示用ラベル１０Ｄにおいても、上記の薬表示用ラベル１０Ａと同様に、上記のラベル基材１１の下辺の中央部から下方に突出した貼付部１４を設け、この貼付部１４の裏面側に粘着剤層１４ａを設けている。なお、この薬表示用ラベル１０Ｄにおいては、カップの図柄内における「就寝前」という文字をラベル基材１１と同じ濃紺色にしている。
【００２７】
また、図７に示す薬表示用ラベル１０Ｅにおいては、ラベル基材１１の地の色を赤色と青色との２色に分離して、この赤色と青色のそれぞれの部分にスプーンとフォークとカップの図柄を表示したピクトグラム表示部１２を設けると共に、赤色部分のカップの図柄内に「朝」という文字を、青色部分のカップの図柄内に「夕」という文字を、ピクトグラム表示部１２の下に「前・後    ヶ」の文字をそれぞれ表示した文字表示部１３を設けている。そして、この薬表示用ラベル１０Ｅにおいても、上記の薬表示用ラベル１０Ａと同様に、上記のラベル基材１１の下辺の中央部から下方に突出した貼付部１４を設け、この貼付部１４の裏面側に粘着剤層１４ａを設けている。
【００２８】
また、図８に示す薬表示用ラベル１０Ｆにおいては、ラベル基材１１の地の色を赤色と橙色と青色との３色に分離して、この赤色と橙色と青色のそれぞれの部分にスプーンとフォークとカップの図柄を表示したピクトグラム表示部１２を設けると共に、赤色部分のカップの図柄内に「朝」という文字を、橙色部分のカップの図柄内に「昼」という文字を、青色部分のカップの図柄内に「夕」という文字を、ピクトグラム表示部１２の下に「前・後    ヶ」の文字をそれぞれ表示した文字表示部１３を設けている。そして、この薬表示用ラベル１０Ｆにおいても、上記の薬表示用ラベル１０Ａと同様に、上記のラベル基材１１の下辺の中央部から下方に突出した貼付部１４を設け、この貼付部１４の裏面側に粘着剤層１４ａを設けている。
【００２９】
なお、図４〜図８に示した上記の各薬表示用ラベル１０Ｂ〜１０Ｆを、薬２１を所要数収容させたシート状の薬収容体２０に貼付させるにあたっては、上記の薬表示用ラベル１０Ａの場合と同様に、上記の文字表示部１３における「前・後」部分の前又は後の何れかに丸をつけると共に、「ヶ」の前の空白部分に服用する薬２１の数を記載する。そして、これらの薬表示用ラベル１０Ｂ〜１０Ｆにおける上記の貼付部１４の裏面側に設けられた粘着剤層１４ａにより、これらの薬表示用ラベル１０Ｂ〜１０Ｆを上記の薬収容体２０において薬２１が収容されていない余剰部分の表面側に貼付させるようにする。
【００３０】
また、図９に示す薬表示用ラベル１０Ｇにおいては、ラベル基材１１の地の色を赤色と橙色と青色と濃紺色の４色に分離して、この赤色と橙色と青色と濃紺色のそれぞれの部分にカップの図柄を表示したピクトグラム表示部１２を設けると共に、赤色部分のカップの図柄内に「朝」という文字を、橙色部分のカップの図柄内に「昼」という文字を、青色部分のカップの図柄内に「夕」という文字を、濃紺色部分のカップの図柄内に「夜」という文字を、ピクトグラム表示部１２の下に「１日４回    ヶ」の文字をそれぞれ表示した文字表示部１３を設けている。そして、この薬表示用ラベル１０Ｇにおいても、上記の薬表示用ラベル１０Ａと同様に、上記のラベル基材１１の下辺の中央部から下方に突出した貼付部１４を設け、この貼付部１４の裏面側に粘着剤層１４ａを設けている。
【００３１】
なお、この薬表示用ラベル１０Ｇを、薬２１を所要数収容させたシート状の薬収容体２０に貼付させるにあたっては、上記の薬表示用ラベル１０Ａの場合と同様に、上記の文字表示部１３における「ヶ」の前の空白部分に服用する薬２１の数を記載し、上記の薬表示用ラベル１０Ａの場合と同様に、この薬表示用ラベル１０Ｇにおける上記の貼付部１４の裏面側に設けられた粘着剤層１４ａにより、この薬表示用ラベル１０Ｇを上記の薬収容体２０において薬２１が収容されていない余剰部分の表面側に貼付させるようにする。
【００３２】
また、２種類以上の薬を服用する場合において、例えば、朝食前に２錠服用する薬２１を収容させたシート状の薬収容体２０と、夕食後に１錠服用する薬２１を収容させたシート状の薬収容体２０とが存在する場合、朝食前に２錠服用する薬２１を収容させたシート状の薬収容体２０に対しては、前記の図３に示したように、薬表示用ラベル１０Ａの文字表示部１３における「前」部分に丸をつけると共に、「ヶ」の前の空白部分に「２」の文字を記載した薬表示用ラベル１０Ａを貼付させる。また、夕食後に１錠服用する薬２１を収容させたシート状の薬収容体２０に対しては、図１０に示すように、前記の図５に示す薬表示用ラベル１０Ｃの文字表示部１３における「後」部分に丸をつけると共に、「ヶ」の前の空白部分に「１」の文字を記載した薬表示用ラベル１０Ｃを貼付させる。
【００３３】
そして、このように薬表示用ラベル１０Ａを貼付させたシート状の薬収容体２０と、薬表示用ラベル１０Ｃを貼付させたシート状の薬収容体２０とを１つの薬袋３０内に収容させるにあたっては、図１１に示すように、それぞれの薬２１の種類を表示する薬表示部４１、薬表示部４１に表示された各薬に対応させて上記の薬表示用ラベル１０Ａや薬表示用ラベル１０Ｃのピクトグラム表示部１２や文字表示部１３に表示した内容と同様の表示を行う用法・用量表示部４２とを設けた薬袋用ラベル４０を、この薬袋３０に付させるようにすることができる。
【００３４】
このようにすると、薬袋３０に貼付した薬袋用ラベル４０に示されている薬表示部４１及び用法・用量表示部４２の内容と、２種類のシート状の薬収容体２０の収容された薬２１及びこれらの薬収容体２０に貼付した薬表示用ラベル１０Ａや薬表示用ラベル１０Ｃに表示された内容とを比較して、薬袋３０内に収容されたシート状の薬収容体２０における薬２１が適切であるかを簡単に判断することができるようになる。また、上記の薬表示用ラベル１０Ａや薬表示用ラベル１０Ｃがそれぞれのシート状の薬収容体２０から外れた場合においても、各薬表示用ラベル１０Ａ，１０Ｃを適切なシート状の薬収容体２０に貼付し直すことが容易に行えるようになる。
【００３５】
なお、上記の各薬表示用ラベル１０Ａ〜１０Ｇにおいては、ラベル基材１１の下辺の中央部から下方に突出した貼付部１４に粘着剤層１４ａを設け、この貼付部１４を上記のシート状の薬収容体２０において薬２１が収容されていない余剰部分に貼付させるようにしたが、例えば、図示していないが、液体飲み薬用のビンからなる薬収容体や、塗り薬用の容器からなる薬収容体に対しては、薬表示用ラベルにおけるラベル基材の裏面全体に粘着剤層を設けてこれらの薬収容体に貼付させるようにすることもできる。また、上記の各薬表示用ラベル１０Ａ〜１０Ｇにおいては、ピクトグラム表示部１２を黒色以外の色で表示したが、黒色で表示することもできる。
【図面の簡単な説明】
【００３６】
【図１】この考案の実施形態に係る第１の薬表示用ラベルの概略平面図である。
【図２】上記の第１の薬表示用ラベルの側面図である。
【図３】上記の第１の薬表示用ラベルに必要な記載を行って、薬を収容させたシート状の薬収容体に貼付させた状態を示した平面説明図である。
【図４】この考案の実施形態に係る第２の薬表示用ラベルの概略平面図である。
【図５】この考案の実施形態に係る第３の薬表示用ラベルの概略平面図である。
【図６】この考案の実施形態に係る第４の薬表示用ラベルの概略平面図である。
【図７】この考案の実施形態に係る第５の薬表示用ラベルの概略平面図である。
【図８】この考案の実施形態に係る第６の薬表示用ラベルの概略平面図である。
【図９】この考案の実施形態に係る第７の薬表示用ラベルの概略平面図である。
【図１０】上記の第３の薬表示用ラベルに必要な記載を行って、薬を収容させたシート状の薬収容体に貼付させた状態を示した平面説明図である。
【図１１】上記の第１の薬表示用ラベルに必要な記載を行って貼付させたシート状の薬収容体と、上記の第３の薬表示用ラベルに必要な記載を行って貼付させたシート状の薬収容体とを収容させる薬袋に、薬袋用ラベルを貼付させた状態を示した平面説明図である。
【符号の説明】
【００３７】
１０Ａ〜１０Ｇ  薬表示用ラベル
１１  ラベル基材
１２  ピクトグラム表示部
１３  文字表示部
１４  貼付部
１４ａ  粘着剤層
２０  薬収容体
２１  薬
３０  薬袋
４０  薬袋用ラベル
４１  薬表示部
４２  用法・用量表示部
【図１】
0003139099.tif 000003
【図２】
0003139099.tif 000004
【図３】
0003139099.tif 000005
【図４】
0003139099.tif 000006
【図５】
0003139099.tif 000007
【図６】
0003139099.tif 000008
【図７】
0003139099.tif 000009
【図８】
0003139099.tif 000010
【図９】
0003139099.tif 000011
【図１０】
0003139099.tif 000012
【図１１】
0003139099.tif 000013